(57)【要約】【課題】本発明は、室内機内部への塵や埃の侵入を抑制することができる空気調和機を提供することを目的とする。【解決手段】本発明の空気調和機は、室内の空気を吸い込む吸込口と、空気調和された空気を吹き出す吸込口と、吸込口から吹出口へ向かう風路上に設けられた室内送風ファンと、室内送風ファンの上流に位置する室内熱交換器と、室内熱交換器の上流に位置するフィルタと、フィルタの一部の面に設けられた熱交換器カバーと、運転時における室内熱交換器の上流に位置する熱交換器カバーの面積を、運転停止時における室内熱交換器の上流に位置する熱交換器カバーの面積よりも小さくなるようフィルタを回転させるフィルタ駆動手段とを備えた。【選択図】図２
2016130615.tif 000002
【特許請求の範囲】
【請求項１】
室内の空気を吸い込む吸込口と、
空気調和された空気を吹き出す吸込口と、
前記吸込口から前記吹出口へ向かう風路上に設けられた室内送風ファンと、
前記室内送風ファンの上流に位置する室内熱交換器と、
前記室内熱交換器の上流に位置するフィルタと、
前記フィルタの一部の面に設けられた熱交換器カバーと、
運転時における前記室内熱交換器の上流に位置する前記熱交換器カバーの面積を、運転停止時における前記室内熱交換器の上流に位置する前記熱交換器カバーの面積よりも小さくなるよう前記フィルタを回転させるフィルタ駆動手段とを備えた空気調和機。
【請求項２】
上面側に配置され室内の空気を吸い込む上面吸込口と、
前面側に配置され室内の空気を吸い込む前面吸込口と、
前記上面吸込口から前記吹出口へ向かう風路上に設けられた室内送風ファンと、
前記室内送風ファンの上流に位置する室内熱交換器と、
前記前面吸込口より下方に位置し、前記室内熱交換器で熱交換された空気を室内に吹き出す吹出口と、
前記室内熱交換器の上流に位置するフィルタと、
前記フィルタを回転させるフィルタ回転軸と、
前記フィルタの一部の面に設けられた熱交換器カバーとを備え、
運転時における前記室内熱交換器の上流に位置する前記熱交換器カバーの面積を、運転停止時における前記室内熱交換器の上流に位置する前記熱交換器カバーの面積よりも小さくするよう前記フィルタ回転軸を駆動するフィルタ駆動手段とを備えた空気調和機。
【請求項３】
前記フィルタ駆動手段は、運転停止時に前記熱交換器カバーの一部を前記フィルタの下端に位置させ、且つ、前記熱交換器カバーの少なくとも一部が重なるよう前記フィルタ回転軸を駆動することを特徴とする請求項１又は２に記載の空気調和機。
【請求項４】
前記フィルタの下端は前記室内熱交換器の下端よりも下方に位置することを特徴とする請求項１乃至３のいずれかに記載の空気調和機。
【請求項５】
前記熱交換器カバーは前記フィルタより網目の細かい布で構成されたことを特徴とする請求項１乃至４のいずれかに記載の空気調和機。
【請求項６】
前記熱交換器カバーは平滑な表面形状の樹脂膜で構成されたことを特徴とする請求項１乃至４のいずれかに記載の空気調和機。
【請求項７】
前記フィルタはループ状であり、
前記フィルタ駆動手段によって前記フィルタ回転軸を駆動することで前記フィルタの位置を移動させることを特徴とする請求項１乃至４のいずれかに記載の空気調和機。
【請求項８】
前記フィルタおよび前記熱交換器カバーに付着した塵埃を除去する塵埃除去用ブラシを備えたことを特徴とする請求項１乃至４のいずれかに記載の空気調和機。
【発明の詳細な説明】
【技術分野】
【０００１】
本発明は、空気調和機に関する。
【背景技術】
【０００２】
空気調和機は、ヒートポンプ式の冷凍サイクルを備え、冷房運転及び暖房運転が可能である。空気調和機の室内機においては、上面吸込口から吸い込んだ室内空気が冷凍サイクル内の冷媒と熱交換し、室内機前面下方の吹出口から冷風または温風として吹き出される。
【０００３】
室内機には化粧枠の上面側に吸込口が配設され、上面吸込口から室内空気を室内機内部に取り入れる。吸込空気は、室内の塵や埃を含んだ状態で上面吸込口まで流れる。上面吸込口と室内熱交換器との間には、フィルタを配設し、吸込空気から塵埃を除去する。
【０００４】
特許文献１には、上面吸込口の後方に上部フィルタ回転軸と、前面吸込口の下方に下部フィルタ回転軸を配置し、フィルタ回転軸間に架け渡され、室内機の外形に沿った形状でフィルタを配置する。フィルタ回転軸を回転させ、吸込口に対するフィルタの相対位置を移動し、下部フィルタ回転軸の近接位置に塵埃除去用ブラシ、その下方に塵埃受け部を配置する。塵埃除去用ブラシにより塵埃を巻き取り移動されたフィルタから、塵埃受け部へ除去することが記載されている。
【先行技術文献】
【特許文献】
【０００５】
【特許文献１】特開２００９−８５５０４号公報
【発明の概要】
【発明が解決しようとする課題】
【０００６】
しかし、フィルタとその他の部品との間には隙間があり、またフィルタの網目の大きさより小さい塵埃もあるため、塵埃はフィルタにより除去しきれず、室内機の内部に侵入してしまう。室内機の内部に侵入した塵埃は、室内熱交換器に付着し、長期間空気調和機を使用しない場合、塵埃の室内熱交換器への堆積に繋がる。特に、冷房運転停止後の湿った状態の室内熱交換器に塵埃は付着・堆積しやすい。室内熱交換器へ付着した塵埃にカビが発生すると、不快な臭いの原因になることがある。
【０００７】
本発明は、室内機内部への塵や埃の侵入を抑制することができる空気調和機を提供することを目的とする。
【課題を解決するための手段】
【０００８】
本発明の空気調和機は、室内の空気を吸い込む吸込口と、空気調和された空気を吹き出す吸込口と、吸込口から吹出口へ向かう風路上に設けられた室内送風ファンと、室内送風ファンの上流に位置する室内熱交換器と、室内熱交換器の上流に位置するフィルタと、フィルタの一部の面に設けられた熱交換器カバーと、運転時における室内熱交換器の上流に位置する熱交換器カバーの面積を、運転停止時における室内熱交換器の上流に位置する熱交換器カバーの面積よりも小さくなるようフィルタを回転させるフィルタ駆動手段とを備えた。
【発明の効果】
【０００９】
本発明によれば、室内機内部への塵や埃の侵入を抑制することができる。
【図面の簡単な説明】
【００１０】
【図１】実施例１に係る空気調和機のサイクル構成図である。
【図２】実施例１に係る室内機の側面断面図である。
【図３】実施例１に係る室内機の側面断面図である。
【図４】実施例１に係る室内機の運転時における側面断面図である。
【図５】実施例１に係る室内機の側面断面図である。
【図６】実施例２に係る室内機の側面断面図である。
【図７】実施例２に係る室内機の側面断面図である。
【図８】実施例２に係る室内機の運転時における側面断面図である。
【発明を実施するための形態】
【００１１】
以下、図面を用いて本発明の実施例を説明する。
【実施例１】
【００１２】
本実施例について図面を用いて説明する。図１は実施例１に係る空気調和機のサイクル構成図である。圧縮機２と室外熱交換器４と室外送風ファン５と膨張弁６は室外機に配置され、室内熱交換器７と室内送風ファン８は室内機１に配置されている。
【００１３】
冷房運転時は、圧縮機２より吐出された高温且つ高圧の冷媒は、四方弁３を介して室外熱交換器４に流入する。室外熱交換器４に流入した冷媒は、室外送風ファン５によって送られる室外の空気と熱交換することで、凝縮されて液冷媒となる。液冷媒は、膨張弁６を通過することで低温低圧の二相冷媒になり、室内熱交換器７に流入する。室内熱交換器７に流入した低温低圧の二相冷媒は、室内送風ファン８によって送られる室内の空気１４と熱交換する。このとき、室内熱交換器７に送られた室内の空気１４は、室内熱交換器７に流入した低温低圧の二相冷媒によって冷却され、吹出口９から室内に吐出される。吹出口９から室内に吐出される吹出空気１６は、吸込口１０における吸込空気１４の温度よりも低いため、室内の温度を下げることができる。室内熱交換器７で熱交換された冷媒は四方弁３を介して再び圧縮機２に戻る。
【００１４】
図２及び図３は、本実施例に係る室内機１の側面断面図である。図４は、本実施例に係る室内機１の運転時における側面断面図である。空気調和機の室内機１は、本体前面に化粧パネル１１を備える。
【００１５】
化粧パネル１１の上側と下側は、化粧枠１２によって固定される。室内空気１４を吸い込む上面吸込口１０ａが、空気調和機の室内機１本体の上部（化粧パネル１１の上方（上側））に配置され、前面吸込口１０ｂが空気調和機の室内機１本体の前部（化粧パネル１１の裏側）に配置される。化粧パネル１１の裏側には、上面吸込口１０ａ及び前面吸込口１０ｂから吸い込まれた空気１４から、塵埃を除去するフィルタ１３が配置される。フィルタ１３の下流側には、フィルタ１３により塵埃が除去された空気１４と熱交換するΛ形状（逆Ｖ形状）の室内熱交換器７が配置される。
【００１６】
化粧パネル１１の下方には吹出口９が設けられ、熱交換された吹出空気１６が吹出口９から室内機１前方に吹き出される。室内送風ファン８は、上面吸込口１０ａ及び前面吸込口１０ｂから室内熱交換器７を経由して吹出口９へ向かう風路１５上に設けられ、吹出口９から熱交換された吹出空気１６を吹き出す。
【００１７】
据付板１８が壁面１９にねじなどを用い固定され、キャビネット２２を据付板１８に引掛けることにより、壁面１９に固定される。室内機１の据付けられる高さとしては、天井面２０から５０ｍｍ以上とするのが好ましい。据付けされる部屋の天井の高さによっては、天井面２０からの距離が５０ｍｍより近くても良い。
【００１８】
室内熱交換器７の下側には、室内熱交換器７で結露した水を受けるドレンパン２１が配置される。キャビネット２２及びドレンパン２１により、室内送風ファン８下流側の風路１５を発生させるための下流側風洞２３が構成される。下流側風洞２３の室内送風ファン８側とは反対側の端面が吹出口９となる。
【００１９】
上下風向ルーバ２４が吹出口９近傍の下流側風洞２３に配置される。上下風向ルーバ２４は、下流側風洞２３の下側に配置された下側上下風向ルーバ２４ｂ及び上側に配置された上側上下風向ルーバ２４ａにより構成される。下側上下風向ルーバ２４ｂは、制御部（図示せず）によって、運転停止時に吹出口９を閉じ、冷房運転時や暖房運転時に吹出口９を開ける。下流側風洞２３には、左右風向ルーバ２５も配置する。左右風向ルーバ２５は、制御部により制御し、吹出空気１６を左右方向に偏向させることができる。
【００２０】
上面吸込口１０ａの後方に上部フィルタ回転軸２６と、前面吸込口１０ｂの下方に下部フィルタ回転軸２７を配置する。フィルタ１３の先端と後端を繋げフィルタ１３をループ状にし、上部フィルタ回転軸２６と下部フィルタ回転軸２７とフィルタガイド軸３３にフィルタ１３を架け渡し、室内機１の外形に沿った形状でフィルタ１３を配置する。下部フィルタ回転軸２７の近接位置に塵埃除去用ブラシ２８と、下部フィルタ回転軸２７の下方に塵埃受け部２９とを有する。
【００２１】
運転停止時に、熱交換器カバー３０が上面吸込口１０ａ下方に配置される。熱交換器カバー３０としては、前後方向に上面吸込口１０ａの後端から前端までを覆う形状とするのが好ましい。また左右方向に上面吸込口１０ａの左端から右端までを覆う形状とするのが好ましい。
【００２２】
フィルタ１３を巻き取るように、上部フィルタ回転軸２６と下部フィルタ回転軸２７の少なくともどちらか一方を駆動する電動機装置２０を有する。例えば、図３のように、上部フィルタ回転軸２６と下部フィルタ回転軸２７を反時計方向に回転し、上面吸込口１０ａに対する熱交換器カバー３０の位置を移動することを可能とする。フィルタ１３は、上部フィルタ回転軸２６と下部フィルタ回転軸２７とフィルタガイド軸３３に沿って移動する。
【００２３】
冷房運転、暖房運転等の空調運転時にはフィルタ１３の位置を移動し、図４のように前面吸込口１０ｂの下方を運転時の熱交換器カバー３０の位置とする。
【００２４】
熱交換器カバー３０の位置を、運転停止時に図２の位置、運転開始とともに上部フィルタ回転軸２６と下部フィルタ回転軸２７を回転させ図３の位置を経由し、図４の位置に移動する。
【００２５】
すなわち、運転時における室内熱交換器７の上流に位置する熱交換器カバー３０の面積を、運転停止時における室内熱交換器７の上流に位置する熱交換器カバー３０の面積よりも小さくなるようフィルタ１３を回転させるフィルタ駆動手段を備える。具体的には、熱交換器カバー３０の少なくとも一部をフィルタ１３の下端に位置させ、且つ、熱交換器カバー３０の少なくとも一部を重ねて室内熱交換器７を覆う熱交換器カバー３０の面積を小さくする。
【００２６】
このような構成により、運転停止時には上面吸込口１０ａを覆い室内機１内部への塵埃の侵入を抑制することができる。運転時には上面吸込口１０ａと前面吸込口１０ｂからの空気１４の吸込みを妨害せず、多くの空気を吸込み熱交換することにより、冷房効果・暖房効果は低下しない。
【００２７】
また、フィルタ１３の下端は室内熱交換器７の下端よりも下方に位置させる構造にすることが望ましい。
【００２８】
このような構成により、熱交換カバー３０の一部を室内熱交換器７よりも下方に位置させることができ、運転時に室内熱交換器７の上流に位置する熱交換カバー３０の面積をさらに小さくすることができる。
【００２９】
運転開始時には、図３のように、塵埃除去用ブラシ２８に接しながらフィルタ１３と熱交換器カバー３０が移動する。このため、塵埃除去用ブラシ２８によりフィルタ１３および熱交換器カバー３０に付着した塵埃が除去され、塵埃除去用ブラシ２８の下方に配置された塵埃受け部２９に塵埃が収集される。再び運転停止した場合、さらに上部フィルタ回転軸２６と下部フィルタ回転軸２７を反時計方向に回転し、図２の位置に熱交換器カバー３０が戻る。熱交換器カバー３０の位置は、電動機装置２０と制御部により空気調和機の運転状態に応じて自動で切り替えるのが好ましい。
【００３０】
化粧パネル１１は、図５のように軸３６を中心に回転し、前面吸込口１０ｂを露出させることが可能である。前面吸込口１０ｂの下方の位置に配置された塵埃受けカバー３４は、軸受３５を中心に前方に回転し、開くことが可能である。塵埃受けカバー３４が開くことにより、掃除機ノズルを塵埃受け部２９上方から差し込み、塵埃受け部２９に収集した塵埃については、掃除機によって清掃・除去可能とする。
【００３１】
熱交換器カバー３０の構造体として、フィルタ１３より網目の細かい布を用いる。また、熱交換器カバー３０の構造体として、平滑な表面形状の樹脂膜を用いても良い。平滑な表面形状の樹脂膜とすることにより、熱交換器カバー３０から塵埃を除去しやすくなる。
【００３２】
熱交換器カバー３０およびフィルタ１３を着脱可能としても良い。着脱可能とすることにより、熱交換器カバー３０の汚れが目立った場合、熱交換器カバー３０およびフィルタ単独での清掃が可能となる。熱交換器カバー３０単独での清掃は、高所での作業の必要がなく、清掃時に清掃者に生じる危険を減少させることができる。
【実施例２】
【００３３】
次に本発明の実施例２について、図面を用いて説明する。図６及び図７は、本実施例に係る室内機１の側面断面図である。図８は、本実施例に係る室内機の運転時における側面断面図である。
【００３４】
実施例２が、実施例１と異なる点は、上面吸込口１０ａの後方と前方にフィルタ回転軸を配置する点である。それぞれを上後部フィルタ回転軸３１と上前部フィルタ回転軸３２とする。フィルタ１３の先端と後端を繋げフィルタ１３をループ状にし、上後部フィルタ回転軸３１と上前部フィルタ回転軸３２にフィルタ１３を架け渡し配置する。実施例１に比べ、フィルタの合計長さを短くし、安価な構造である。
【００３５】
上前部フィルタ回転軸３２の近接位置に塵埃除去用ブラシ２８と、上前部フィルタ回転軸３２の下方に塵埃受け部２９とを有する。前面吸込口１０ｂと室内熱交換器７との間には、前面側フィルタ１７を配置する。
【００３６】
運転停止時に、実施例１と同様に熱交換器カバー３０が上面吸込口１０ａ下方に配置される。熱交換器カバー３０としては、前後方向に上面吸込口１０ａの後端から前端までを覆う形状とするのが好ましい。また左右方向に上面吸込口１０ａの左端から右端までを覆う形状とするのが好ましい。
【００３７】
フィルタ１３を巻き取るように、上後部フィルタ回転軸３１と上前部フィルタ回転軸３２の少なくともどちらか一方を駆動する電動機装置２０を有する。例えば、図７のように、上後部フィルタ回転軸３１と上前部フィルタ回転軸３２を反時計方向に回転し、上面吸込口１０ａに対する熱交換器カバー３０の位置を移動することを可能とする。
【００３８】
冷房、暖房など運転時にはフィルタ１３の位置を移動し、図８のように上面吸込口１０ａの後方を運転時の熱交換器カバー３０の位置とする。
【００３９】
熱交換器カバー３０の位置を、運転停止時に図６の位置、運転開始とともに上後部フィルタ回転軸３１と上前部フィルタ回転軸３２を回転させ図７の位置を経由し、図８の位置に移動する。これにより、運転停止時には上面吸込口１０ａを覆い室内機１内部への塵埃の侵入を抑制することができる。運転時には上面吸込口１０ａと前面吸込口１０ｂからの空気１４の吸込みを妨害せず、多くの空気を吸込み熱交換することにより、冷房効果・暖房効果は低下しない。運転開始時には、図７のように、塵埃除去用ブラシ２８に接しながらフィルタ１３と熱交換器カバー３０が移動する。このため、塵埃除去用ブラシ２８によりフィルタ１３および熱交換器カバー３０に付着した塵埃が除去され、塵埃除去用ブラシ２８下方に配置された塵埃受け部２９に塵埃が収集される。再び運転停止した場合、さらに上後部フィルタ回転軸３１と上前部フィルタ回転軸３２を反時計方向に回転し、図６の位置に熱交換器カバー３０が戻る。熱交換器カバー３０の位置は、電動機装置２０と制御部により空気調和機の運転状態に応じて自動で切り替えるのが好ましい。
【００４０】
熱交換器カバー３０の構造体として、実施例１と同様にフィルタ１３より網目の細かい布または、平滑な表面形状の樹脂膜を用いるのが好ましい。熱交換器カバー３０およびフィルタ１３を着脱可能としても良い。
【００４１】
尚、本発明は、実施例の個々に限定されることはなく、また、上述した実施例を適宜組み合わせてもよい。
【符号の説明】
【００４２】
１…室内機、２…圧縮機、３…四方弁、４…室外熱交換器、５…室外送風ファン、６…膨張弁、７…室内熱交換器、８…室内送風ファン、９…吹出口、１０…吸込口、１０ａ…上面吸込口、１０ｂ…前面吸込口、１１…化粧パネル、１２…化粧枠、１３…フィルタ、１４…空気・吸込空気、１５…風路、１６…吹出空気、１７…前面側フィルタ、１８…据付板、１９…壁面、２０…電動機装置、２１…ドレンパン、２２…キャビネット、２３…下流側風洞、２４…上下風向ルーバ、２４ａ…上側上下風向ルーバ、２４ｂ…下側上下風向ルーバ、２５…左右風向ルーバ、２６…上部フィルタ回転軸、２７…下部フィルタ回転軸、２８…塵埃除去用ブラシ、２９…塵埃受け部、３０…熱交換器カバー、３１…上後部フィルタ回転軸、３２…上前部フィルタ回転軸、３３…フィルタガイド軸、３４…塵埃受けカバー、３５…軸受、３６…軸
【図１】
2016130615.tif 000003
【図２】
2016130615.tif 000004
【図３】
2016130615.tif 000005
【図４】
2016130615.tif 000006
【図５】
2016130615.tif 000007
【図６】
2016130615.tif 000008
【図７】
2016130615.tif 000009
【図８】
2016130615.tif 000010